【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記第１及び前記第２のヘッド端部は互いに反対に位置しており、
前記中空のスリーブ部は、前記中空室と連通しているスリーブコンジットを形成し、
前記中空のスリーブ部は、前記第２のヘッド端部と隣接し、前記ゴルフクラブヘッドにつながるシャフトの一部を覆うように構成されており、
前記プルストラップは、前記本体の前記ヘッド部につなげられており、
前記プルストラップは、前記ヘッド部の前記第１のヘッド端部に取り付けられている第１のストラップ端部と、前記ヘッド部の前記第２のヘッド端部に取り付けられている第２のストラップ端部とを形成し、
前記本体と前記プルストラップは、個人の手の一部分を入れ込むように構成された空洞を形成する、ヘッドカバー。
【請求項２】
前記第１のヘッド端部は、前記ゴルフクラブヘッドが前記中空室内に配置される場合に前記ゴルフクラブヘッドの前記トゥー部分を嵌め込むように構成されており、
前記第２のヘッド端部は、前記ゴルフクラブヘッドが前記中空室内に配置される場合に前記ゴルフクラブヘッドの前記ヒール部分を嵌め込むように構成されており、
前記中空室は、前記第１のヘッド端部又は前記第１のヘッド端部の近傍が、前記第２のヘッド端部又は前記第２のヘッド端部の近傍より広い、請求項１に記載のヘッドカバー。
【請求項３】
前記プルストラップの前記第１のストラップ端部は、前記プルストラップの前記第２のストラップ端部より幅広である、請求項１または２に記載のヘッドカバー。
【請求項４】
前記プルストラップの前記第１のストラップ端部は、前記ヘッド部の前記第１のヘッド端部に取り付けられており、
前記プルストラップの前記第２のストラップ端部は、前記ヘッド部の前記第２のヘッド端部に取り付けられている、請求項３に記載のヘッドカバー。
【請求項５】
前記ヘッド部と前記中空のスリーブ部は、Ｌ字型の形状を形成する、請求項１〜４のいずれか一項に記載のヘッドカバー。
【請求項６】
前記ヘッド部の前記中空室の大きさは、前記ヘッド部の前記第２のヘッド端部から前記第１のヘッド端部にかけて増大する、請求項１〜５のいずれか一項に記載のヘッドカバー。
【請求項７】
前記プルストラップは、前記本体の前記ヘッド部と一体化している、請求項１〜６のいずれか一項に記載のヘッドカバー。
【請求項８】
前記プルストラップは、前記本体の前記ヘッド部に着脱不能に取り付けられる、請求項１〜６のいずれか一項に記載のヘッドカバー。
【請求項９】
前記プルストラップは、その長さが４．７５インチから７インチであり、
前記プルストラップの前記第２のストラップ端部又はその近傍における幅が２インチから３インチであり、
前記プルストラップの前記第１のストラップ端部又はその近傍における幅が４インチから６インチである、請求項１〜８のいずれか一項に記載のヘッドカバー。
【請求項１０】
前記ゴルフクラブヘッドは、ドライバーゴルフクラブ、ウッドゴルフクラブ、アイアンゴルフクラブ、ハイブリッド型ゴルフクラブ、又はパターゴルフクラブに関する、請求項１〜９のいずれか一項に記載のヘッドカバー。
【請求項１１】
前記中空のスリーブ部は、ハンドル部を備え、
前記ハンドル部は、前記ゴルフクラブヘッドが前記中空室内に配置され、且つ、前記シャフトの一部が前記スリーブ部内に配置されるように、前記クラブヘッドカバーを引っ張って前記ゴルフクラブヘッドの上に乗せる補助をするように構成されている、請求項１〜１０のいずれか一項に記載のヘッドカバー。
【請求項１２】
前記中空のスリーブ部は、前記本体の前記ヘッド部に隣接する先端部と、
前記本体の前記ヘッド部から最も離れたところに位置する中心部と、を備える、請求項１〜１１のいずれか一項に記載のヘッドカバー。
【請求項１３】
前記本体は、レザー、ネオプレン、ポリエチレン、ポリウレタン、合成ゴム、アクリロニトリルブタジエンスチレン、プラスチック、又は繊維素材のうち、少なくとも一つから成る、請求項１〜１２のいずれか一項に記載のヘッドカバー。
【請求項１４】
前記プルストラップは、前記第１のストラップ端部から前記第２のストラップ端部にかけて、直線的に細くなっている、請求項１〜１３のいずれか一項に記載のヘッドカバー。
【請求項１５】
前記プルストラップは、前記第１のストラップ端部から前記第２のストラップ端部にかけて、非直線的に細くなっている、請求項１〜１３のいずれか一項に記載のヘッドカバー。
【請求項１６】
ゴルフクラブヘッドを覆うように構成された、第１のヘッド端部と、第２のヘッド端部と、一つの室と、を画定し、
スリーブ部と連通するヘッド部を備える本体を形成するステップと、
前記室と連通しているスリーブコンジットを備える前記スリーブ部を形成するステップと、
前記ヘッド部にプルストラップを形成するステップを含み、
前記スリーブコンジットは、前記スリーブ部内において、前記ゴルフクラブヘッドが前記スリーブコンジットを通って前記室まで入ることを許容するように構成されており、
前記プルストラップは、前記ヘッド部の前記第１のヘッド端部に取り付けられている第１のストラップ端部と、前記ヘッド部の前記第２のヘッド端部に取り付けられている第２のストラップ端部と、を画定し、
前記本体と前記プルストラップは、個人の手の一部分が通過することを許容する空洞を形成する方法。
【請求項１７】
前記ヘッド部に対し、着脱不能に、もしくは着脱可能なように取り付けられる前記プルストラップを形成するステップを含む、請求項１６に記載の方法。
【請求項１８】
前記プルストラップを形成するステップは、前記プルストラップの前記第１のストラップ端部を、前記ヘッド部の前記第１のヘッド端部に取り付け、前記プルストラップの前記第２のストラップ端部を、前記ヘッド部の前記第２のヘッド端部に取り付け、
前記室は、前記第１のヘッド端部又は前記第１のヘッド端部の近傍が、前記第２のヘッド端部又は前記第２のヘッド端部の近傍より広い、請求項１６または１７に記載の方法。
【請求項１９】
レザー、ネオプレン、ポリエチレン、ポリウレタン、合成ゴム、アクリロニトリルブタジエンスチレン、プラスチック、又は繊維素材のうち、少なくとも一つから成る前記本体を形成するステップを含む、請求項１６〜１８のいずれか一項に記載の方法。
【請求項２０】
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記中空のスリーブ部は、前記中空室と連通しているスリーブコンジットを形成し、
前記中空のスリーブ部は、前記ゴルフクラブヘッドにつながるシャフトの一部を覆うように構成されており、
前記プルストラップは、前記本体の前記ヘッド部につなげられており、
前記プルストラップは、第１のストラップ部と、第２のストラップ部と、第３のストラップ部とを形成し、
前記各ストラップ部は、前記ヘッド部の３つの異なる部分にそれぞれつなげられる端部を有し、
前記本体と前記プルストラップは、個人の手の一部分を入れ込むように構成された少なくとも一つの空洞を形成する、ヘッドカバー。
【請求項２１】
前記第１のヘッド端部は、前記ゴルフクラブヘッドが前記中空室内に配置される場合に前記ゴルフクラブヘッドのトゥー部分を嵌め込むように構成されており、
前記第２のヘッド端部は、前記ゴルフクラブヘッドが前記中空室内に配置される場合に前記ゴルフクラブヘッドのヒール部分を嵌め込むように構成されており、
前記中空室は、前記第１のヘッド端部又は前記第１のヘッド端部の近傍が、前記第２のヘッド端部又は前記第２のヘッド端部の近傍より広い、請求項２０に記載のヘッドカバー。
【請求項２２】
前記第１のストラップ部は、前記第２のストラップ部又は前記第３のストラップ部より広い、請求項２０または２１に記載のヘッドカバー。
【請求項２３】
前記第１のストラップ部、前記第２のストラップ部、及び前記第３のストラップ部は、あわせて略Ｙ字型の形状を形成する、請求項２０〜２２のいずれか一項に記載のヘッドカバー。
【請求項２４】
前記第１のストラップ部は、前記第２のストラップ部又は前記第３のストラップ部より長い、請求項２０〜２３のいずれか一項に記載のヘッドカバー。
【請求項２５】
前記プルストラップは、前記第１のストラップ部、前記第２のストラップ部、及び前記第３のストラップ部のうち、少なくとも一つに沿ってつかむことができる、請求項２０〜２４のいずれか一項に記載のヘッドカバー。
【請求項２６】
前記少なくとも一つの空洞は、前記ヘッド部に対して３つの異なる方向で、前記個人の手によってアクセスされる、請求項２０〜２５のいずれか一項に記載のヘッドカバー。
【請求項２７】
ゴルフクラブヘッドを覆うように構成された、第１のヘッド端部と、第２のヘッド端部と、第３のヘッド端部と、第４のヘッド端部と、一つの室と、から成ると共に、ヘッド部を備える本体を形成するステップと、
前記室と連通しているスリーブコンジットを備えるスリーブ部を形成するステップと、
前記ヘッド部につなげられるプルストラップを形成するステップと、を含み、
前記スリーブ部を形成するステップは、前記スリーブコンジットが、前記ゴルフクラブヘッドが前記スリーブコンジットを通って前記室まで入ることを許容するように構成され、
前記プルストラップには、前記ヘッド部の３つの異なる部分にそれぞれつなげられる端部を有する、第１のストラップ部と、第２のストラップ部と、第３のストラップ部と、が形成されており、
前記本体と前記プルストラップは、個人の手の一部分が通過することを許容する少なくとも一つの空洞を形成する方法。
【請求項２８】
前記プルストラップを形成するステップは、前記第１のストラップ部の前記端部を前記第１のヘッド端部に取り付け、前記第２のストラップ部の前記端部を前記第３のヘッド端部と前記第２のヘッド端部との間に取り付け、前記第３のストラップ部の前記端部を前記第４のヘッド端部と前記第２のヘッド端部との間に取り付ける、請求項２７に記載の方法。
【請求項２９】
前記プルストラップを形成するステップは、前記第２のストラップ部と前記第３のストラップ部に対して横方向に前記第１のストラップ部を構成する、請求項２７または２８に記載の方法。
【請求項３０】
前記プルストラップを形成するステップは、前記第２のストラップ部と前記第３のストラップ部のうち少なくとも一つより幅広である前記第１のストラップ部を形成する、請求項２７〜２９のいずれか一項に記載の方法。
【手続補正２】
【補正対象書類名】明細書
【補正対象項目名】００４２
【補正方法】変更
【補正の内容】
【００４２】
プルストラップ１２４、２２４、３２４、４２４、５２４、６２４、７２４、８２４、９２４、１１２４、１２２４、１３２４、１４２４、１５２４、１６２４、１７２４、１８２４、及び１９２４を備える各クラブヘッドカバー１００、２００、３００、４００、５００、６００、７００、８００、９００、１１００、１２００、１３００、１４００、１５００、１６００、１７００、及び１８００は、レザー、合成ゴム、ネオプレン、ポリエチレン、ポリウレタン、アクリロニトリルブタジエンスチレン（ＡＢＳ）、プラスチック、繊維素材のような様々な素材、又はそれらの組み合わせから作られてもよい。例えば、いくつかの実施形態では、プルストラップ１２４、２２４、３２４、４２４、５２４、６２４、７２４、８２４、９２４、１１２４、１２２４、１３２４、１４２４、１５２４、１６２４、１７２４、１８２４、及び１９２４は合成ゴムから作られ、一方、クラブヘッドカバー１００、２００、３００、４００、５００、６００、７００、８００、９００、１１００、１２００、１３００、１４００、１５００、１６００、１７００、及び１８００の残りの部分は、ポリウレタンなどの異なる素材で作られてもよい。他の実施形態では、プルストラップ１２４、２２４、３２４、４２４、５２４、６２４、７２４、８２４、９２４、１１２４、１２２４、１３２４、１４２４、１５２４、１６２４、１７２４、１８２４、及び１９２４と、クラブヘッドカバー１００、２００、３００、４００、５００、６００、７００、８００、９００、１１００、１２００、１３００、１４００、１５００、１６００、１７００、及び１８００の残りの部分とは、同じ素材、例えば上記のネオプレンや他のいかなる素材などで作られてもよい。本明細書で説明される装置、製造品、方法はこれに限られない。なお、様々な図において、一致する参照符号は、一致する要素を示す。図に用いられる見出しは請求項の範囲を限定するものとして解釈されるべきではない。
以下の項目は、本出願時の特許請求の範囲に記載の要素である。
［項目１］
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記第１及び前記第２のヘッド端部は互いに反対に位置しており、
前記中空のスリーブ部は、前記中空室と連通しているスリーブコンジットを形成し、
前記中空のスリーブ部は、前記第２のヘッド端部と隣接し、前記ゴルフクラブヘッドにつながるシャフトの一部を覆うように構成されており、
前記プルストラップは、前記本体の前記ヘッド部につなげられており、
前記プルストラップは、前記ヘッド部の前記第１のヘッド端部に取り付けられている第１のストラップ端部と、前記ヘッド部の前記第２のヘッド端部に取り付けられている第２のストラップ端部とを形成し、
前記本体と前記プルストラップは、個人の手の一部分を入れ込むように構成された空洞を形成する、ヘッドカバー。
［項目２］
前記第１のヘッド端部は、前記ゴルフクラブヘッドが前記中空室内に配置される場合に前記ゴルフクラブヘッドの前記トゥー部分を嵌め込むように構成されており、
前記第２のヘッド端部は、前記ゴルフクラブヘッドが前記中空室内に配置される場合に前記ゴルフクラブヘッドの前記ヒール部分を嵌め込むように構成されており、
前記中空室は、前記第１のヘッド端部又は前記第１のヘッド端部の近傍が、前記第２のヘッド端部又は前記第２のヘッド端部の近傍より広い、項目１に記載のヘッドカバー。
［項目３］
前記プルストラップの前記第１のストラップ端部は、前記プルストラップの前記第２のストラップ端部より幅広であり、前記ヘッド部の前記第１のヘッド端部に取り付けられており、
前記プルストラップの前記第２のストラップ端部は、前記ヘッド部の前記第２のヘッド端部に取り付けられている、項目１に記載のヘッドカバー。
［項目４］
前記ヘッド部と前記中空のスリーブ部は、Ｌ字型の形状を形成する、項目１に記載のヘッドカバー。
［項目５］
前記ヘッド部の前記中空室の大きさは、前記ヘッド部の前記第２のヘッド端部から前記第１のヘッド端部にかけて増大する、項目１に記載のヘッドカバー。
［項目６］
前記プルストラップの前記第１のストラップ端部は、前記プルストラップの前記第２のストラップ端部より幅広である、項目１に記載のヘッドカバー。
［項目７］
前記プルストラップは、前記本体の前記ヘッド部と一体化している、項目１に記載のヘッドカバー。
［項目８］
前記プルストラップは、前記本体の前記ヘッド部に着脱不能に取り付けられる、項目１に記載のヘッドカバー。
［項目９］
前記プルストラップは、その長さが４．７５インチから７インチであり、
前記プルストラップの前記第２のストラップ端部又はその近傍における幅が２インチから３インチであり、
前記プルストラップの前記第１のストラップ端部又はその近傍における幅が４インチから６インチである、項目１に記載のヘッドカバー。
［項目１０］
前記ゴルフクラブヘッドは、ドライバーゴルフクラブ、ウッドゴルフクラブ、アイアンゴルフクラブ、ハイブリッド型ゴルフクラブ、又はパターゴルフクラブに関する、項目１に記載のヘッドカバー。
［項目１１］
前記中空のスリーブ部は、ハンドル部を備え、
前記ハンドル部は、前記ゴルフクラブヘッドが前記中空室内に配置され、且つ、前記シャフトの一部が前記スリーブ部内に配置されるように、前記クラブヘッドカバーを引っ張って前記ゴルフクラブヘッドの上に乗せる補助をするように構成されている、項目１に記載のヘッドカバー。
［項目１２］
前記中空のスリーブ部は、前記本体の前記ヘッド部に隣接する先端部と、
前記本体の前記ヘッド部から最も離れたところに位置する中心部と、を備える、項目１に記載のヘッドカバー。
［項目１３］
前記本体は、レザー、ネオプレン、ポリエチレン、ポリウレタン、合成ゴム、アクリロニトリルブタジエンスチレン、プラスチック、又は繊維素材のうち、少なくとも一つから成る、項目１に記載のヘッドカバー。
［項目１４］
前記プルストラップは、前記第１のストラップ端部から前記第２のストラップ端部にかけて、直線的に細くなっている、項目１に記載のヘッドカバー。
［項目１５］
前記プルストラップは、前記第１のストラップ端部から前記第２のストラップ端部にかけて、非直線的に細くなっている、項目１に記載のヘッドカバー。
［項目１６］
ゴルフクラブヘッドを覆うように構成された、第１のヘッド端部と、第２のヘッド端部と、一つの室と、を画定し、
スリーブ部と連通するヘッド部を備える本体を形成するステップと、
前記室と連通しているスリーブコンジットを備える前記スリーブ部を形成するステップと、
前記ヘッド部にプルストラップを形成するステップを含み、
前記スリーブコンジットは、前記スリーブ部内において、前記ゴルフクラブヘッドが前記スリーブコンジットを通って前記室まで入ることを許容するように構成されており、
前記プルストラップは、前記ヘッド部の前記第１のヘッド端部に取り付けられている第１のストラップ端部と、前記ヘッド部の前記第２のヘッド端部に取り付けられている第２のストラップ端部と、を画定し、
前記本体と前記プルストラップは、個人の手の一部分が通過することを許容する空洞を形成する方法。
［項目１７］
前記ヘッド部に対し、着脱不能に、もしくは着脱可能なように取り付けられる前記プルストラップを形成するステップを含む、項目１６に記載の方法。
［項目１８］
前記プルストラップを形成するステップは、前記プルストラップの前記第１のストラップ端部を、前記ヘッド部の前記第１のヘッド端部に取り付け、前記プルストラップの前記第２のストラップ端部を、前記ヘッド部の前記第２のヘッド端部に取り付け、
前記室は、前記第１のヘッド端部又は前記第１のヘッド端部の近傍が、前記第２のヘッド端部又は前記第２のヘッド端部の近傍より広い、項目１６に記載の方法。
［項目１９］
レザー、ネオプレン、ポリエチレン、ポリウレタン、合成ゴム、アクリロニトリルブタジエンスチレン、プラスチック、又は繊維素材のうち、少なくとも一つから成る前記本体を形成するステップを含む、項目１６に記載の方法。
［項目２０］
ヘッドカバーであって、
前記ヘッドカバーは、本体とプルストラップとを備え、
前記本体は、ヘッド部と中空のスリーブ部とを備え、
前記ヘッド部は、トゥー部分とヒール部分を有するゴルフクラブヘッドを収容するように構成された中空室を形成し、
前記ヘッド部はさらに、第１のヘッド端部と第２のヘッド端部とを形成し、
前記中空のスリーブ部は、前記中空室と連通しているスリーブコンジットを形成し、
前記中空のスリーブ部は、前記ゴルフクラブヘッドにつながるシャフトの一部を覆うように構成されており、
前記プルストラップは、前記本体の前記ヘッド部につなげられており、
前記プルストラップは、第１のストラップ部と、第２のストラップ部と、第３のストラップ部とを形成し、
前記各ストラップ部は、前記ヘッド部の３つの異なる部分にそれぞれつなげられる端部を有し、
前記本体と前記プルストラップは、個人の手の一部分を入れ込むように構成された少なくとも一つの空洞を形成する、ヘッドカバー。
［項目２１］
前記第１のヘッド端部は、前記ゴルフクラブヘッドが前記中空室内に配置される場合に前記ゴルフクラブヘッドのトゥー部分を嵌め込むように構成されており、
前記第２のヘッド端部は、前記ゴルフクラブヘッドが前記中空室内に配置される場合に前記ゴルフクラブヘッドのヒール部分を嵌め込むように構成されており、
前記中空室は、前記第１のヘッド端部又は前記第１のヘッド端部の近傍が、前記第２のヘッド端部又は前記第２のヘッド端部の近傍より広い、項目２０に記載のヘッドカバー。
［項目２２］
前記第１のストラップ部は、前記第２のストラップ部又は前記第３のストラップ部より広い、項目２０に記載のヘッドカバー。
［項目２３］
前記第１のストラップ部、前記第２のストラップ部、及び前記第３のストラップ部は、あわせて略Ｙ字型の形状を形成する、項目２０に記載のヘッドカバー。
［項目２４］
前記第１のストラップ部は、前記第２のストラップ部又は前記第３のストラップ部より長い、項目２０に記載のヘッドカバー。
［項目２５］
前記プルストラップは、  前記第１のストラップ部、前記第２のストラップ部、及び前記第３のストラップ部のうち、少なくとも一つに沿ってつかむことができる、項目２０に記載のヘッドカバー。
［項目２６］
前記少なくとも一つの空洞は、前記ヘッド部に対して３つの異なる方向で、前記個人の手によってアクセスされる、項目２０に記載のヘッドカバー。
［項目２７］
ゴルフクラブヘッドを覆うように構成された、第１のヘッド端部と、第２のヘッド端部と、第３のヘッド端部と、第４のヘッド端部と、一つの室と、から成ると共に、ヘッド部を備える本体を形成するステップと、
前記室と連通しているスリーブコンジットを備えるスリーブ部を形成するステップと、
前記ヘッド部につなげられるプルストラップを形成するステップと、を含み、
前記スリーブ部を形成するステップは、前記スリーブコンジットが、前記ゴルフクラブヘッドが前記スリーブコンジットを通って前記室まで入ることを許容するように構成され、
前記プルストラップには、前記ヘッド部の３つの異なる部分にそれぞれつなげられる端部を有する、第１のストラップ部と、第２のストラップ部と、第３のストラップ部と、が形成されており、
前記本体と前記プルストラップは、個人の手の一部分が通過することを許容する少なくとも一つの空洞を形成する方法。
［項目２８］
前記プルストラップを形成するステップは、前記第１のストラップ部の前記端部を前記第１のヘッド端部に取り付け、前記第２のストラップ部の前記端部を前記第３のヘッド端部と前記第２のヘッド端部との間に取り付け、前記第３のストラップ部の前記端部を前記第４のヘッド端部と前記第２のヘッド端部との間に取り付ける、項目２７に記載の方法。
［項目２９］
前記プルストラップを形成するステップは、前記第２のストラップ部と前記第３のストラップ部に対して横方向に前記第１のストラップ部を構成する、項目２７に記載の方法。
［項目３０］
前記プルストラップを形成するステップは、前記第２のストラップ部と前記第３のストラップ部のうち少なくとも一つより幅広である前記第１のストラップ部を形成する、項目２７に記載の方法。